(57)【特許請求の範囲】
【請求項１】
上下にカードスロットを有するマルチメモリーカードリーダ装置において、ハウジングの側方に、上下のカードスロットの遮断部を両腕に備えたコ状の挿入防止部材をシーソーのように揺動自在に設け、且つ前記遮断部の先端にそれぞれテーパ面を設けると共に、通常は、前記テーパ面だけが前記スロットの開口部に突出する姿勢を維持するように、バネ部材によって弾圧するように構成したことを特徴とするマルチメモリーカードリーダ装置。
【請求項２】
上下に複数のカードスロットを有するマルチメモリーカードリーダ装置において、ハウジングの側方に、上下のカードスロットの遮断部を両腕に備えたコ状の挿入防止部材を複数シーソーのように揺動自在に設け、且つ前記遮断部の先端にそれぞれテーパ面を設けると共に、通常は、前記テーパ面だけが前記スロットの開口部に突出する姿勢を維持するように、バネ部材によって弾圧するように構成し、且つ各挿入防止部材の腕に隣接挿入防止部材を回動させる連動カム部を備えたことを特徴とするマルチメモリーカードリーダ装置。
【発明の詳細な説明】
【０００１】
【発明の属する技術分野】
本発明は、スマートメディア、コンパクトフラッシュ(登録商標)、メモリースティック、ＳＤカード、ＭＭＣマイクロドライブなどの２種類以上の大きさの異なるカードスロットを上下に設けたマルチメモリーカードリーダ装置に関し、詳しくは１種類のカードを挿入した時、他のカードスロットにはカードを挿入できないようにしたマルチメモリーカードリーダ装置に関するものである。
【０００２】
【従来の枝術】
周知のように、マルチメモリーカードリーダ装置は、各メモリーカード専用のカードスロットを複数並設したものであるが、２種類以上のメモリーカードを誤挿入すると、回路がフリーズしてしまうことがあった。
【０００３】
【発明が解決しようとする課題】
そこで、本発明は、１種類のカードが挿入された場合、他のカードスロットにはカードが挿入できなくなるようになる、即ち１種類のカードしか挿入できないようにしたマルチメモリーカードリーダ装置を提供することを課題とするものである。
【０００４】
【課題を解決するための手段】
本発明は、上記の課題を解決するためになされたもので、請求項１記載の発明は、上下にカードスロットを有するマルチメモリーカードリーダ装置において、ハウジングの側方に、上下のカードスロットの遮断部を両腕に備えたコ状の挿入防止部材をシーソーのように揺動自在に設け、且つ前記遮断部の先端にそれぞれテーパ面を設けると共に、通常は、前記テーパ面だけが前記スロットの開口部に突出する姿勢を維持するように、バネ部材によって弾圧するように構成したことを特徴とするマルチメモリーカードリーダ装置である。
【０００５】
また請求項２記載の発明は、上下に複数のカードスロットを有するマルチメモリーカードリーダ装置において、ハウジングの側方に、上下のカードスロットの遮断部を両腕に備えたコ状の挿入防止部材をシーソーのように揺動自在に設け、且つ前記遮断部の先端にそれぞれテーパ面を設けると共に、通常は、前記テーパ面だけが前記スロットの開口部に突出する姿勢を維持するように、バネ部材によって弾圧するように構成し、且つ各挿入防止部材の腕に隣接挿入防止部材を回動させる連動カム部を備えたことを特徴とするマルチメモリーカードリーダ装置である。
【０００６】
【発明の実施の形態】
【０００７】
【実施例１】
図１は、本発明の実施例１を示すもので、１は２種類のスロット２，３を上下に設け、右側にコ状の挿入防止部材４を軸５によって枢着して、シーソーのように揺動自在に取付けたハウジングである。
【０００８】
そして、このコ状の挿入防止部材４は、両腕の遮断部４ａ，４ｂの先端にそれぞれテーパ面４ａ’，４ｂ’が設けられていて、通常は、このテーパ面４ａ’，４ｂ’だけがスロット２，３の開口部に突出する姿勢を維持するように、バネ部材６，６によって弾圧されている。
【０００９】
従って、図２に示すように、スロット２にカードＡを挿入すると、カードＡは、挿入防止部材４のテーパ面４ａ’をバネ部材６に抗して右方に押し退けて、挿入防止部材４を揺動させ、反対側の遮断部４ｂをスロット３の開口部に突出させ、スロット３へのカードＢの挿入を遮断する。
【００１０】
そして、逆に図３に示すように、スロット３にカードＢを挿入すると、カードＢは挿入防止部材４のテーパ面４ａ’をバネ部材６に抗して右方に押し退けて、挿入防止部材４を揺動させ、開口部に突出させ、スロット２へのカードＡの挿入を遮断する。
【００１１】
即ち、一方のスロットにカードを挿入すると、他方のスロットへはカードの挿入が出来なくなる。
【００１２】
【実施例２】
図４は上下３段にスロット１２，１３，１４を設けた場合の実施例４を示すもので、１１はハウジング、１５は軸、１６，１６’はテーパ面４ａ、４ａを設け、且つ連動カム部１７，１７を設けたコ状の挿入防止部材である。なお、実施例１のバネ部材６に相当するバネ部材は省略した。
【００１３】
この実施例２は実施例１を基本とし、上下に設けた挿入防止部材を連動させるために、挿入防止部材の形状を図５に示すように工夫すると共に、連動カム部１７，１７を設けたものであり、図６の（ａ）図に示すように、最上部のスロット１２にカードを挿入すると、上部の挿入防止部材１６が時計方向に回動し、それに伴って連動カム部１７によって下部の挿入防止部材１６’も時計方向に回動し、スロット１３とスロットへのカード挿入を防止する状態となる。
【００１４】
また、図６の（ｂ）図に示すように中段のスロット１３にカードを挿入した場合は、図６の（ｂ）図に示すように、上部の挿入防止部材１６は反時計方向に回動し、下部の挿入防止部材１６’は時計方向に回動してスロット１２とスロット１４へのカードの挿入を阻止する状態となる。
【００１５】
また、最下段のスロット１４にカードを挿入した時は、上部の挿入防止部材１６は連動カム部１７により挿入防止部材１６’と共に反時計方向に回動し、最上段と中段のスロット１２，１３へのカードの挿入を阻止する状態となる。尚、３段以上にスロットを設ける場合は、同じ要領で挿入防止部材を設ければよい。
【００１６】
以上例示した実施例は、何れもカード非挿入時において、いずれもバネ部材により挿入防止部材のテーパ面のみがスロットの開口部に突出するように構成したものであるが、この構造によるとカードを挿入した時、バネ部材により弾圧される挿入防止部材により、カードはスロット内に抑止され、飛び出しを防止する作用がある。
【００１７】
【発明の効果】
本発明によれば、１種類のカードが挿入された場合、他のスロットにはカードが挿入出来なくなり、誤挿入による回路のフリーズを未然に防止することができる。
【図面の簡単な説明】
【図１】  本発明の実施例１の正面図。
【図２】  上のスロットにカードＡを挿入した場合の本発明実施例の正面図。
【図３】  下のスロットにカードＢを挿入した場合の本発明実施例の正面図。
【図４】  本発明の実施例２の斜視図。
【図５】  本発明の実施例２の分解斜視図。
【図６】  実施例２における挿入防止部材の動作説明図。
【符号の説明】
１            ハウジング
２，３        スロット
４            挿入防止部材
４ａ，４ｂ    遮断部
４ａ’，４ｂ’ テーパ面
５            軸
６            バネ部材
【図１】
0004013126.tif 000002
【図２】
0004013126.tif 000003
【図３】
0004013126.tif 000004
【図４】
0004013126.tif 000005
【図５】
0004013126.tif 000006
【図６】
0004013126.tif 000007